(57)【要約】【課題】  ホールソーなどの切削工具で、伊予石などの母材を切削加工するときの切削性の改善と刃先の摩耗を防ぐ腰水用植木鉢の製造方法と該腰水用植木鉢を得ること。【解決手段】  伊予石などの母材の含水量を略１％近傍以下まで乾燥させる行程と、該乾燥工程の後、切削刃物で掘穿する切削工程により腰水用植木鉢を製造する方法とその製造方法で形成した腰水用植木鉢。【選択図】図１
2011110044.tif 000002
【特許請求の範囲】
【請求項１】
切削刃物で掘穿して排水孔を有しない有底容器の腰水用植木鉢として形成する製造方法において、花崗岩以外の火成岩（深成岩）で、流紋岩を中心とした熱水変成を受けた伊予の石または砥石材としての伊予石を母材として、該母材の含水量を略１％近傍以下まで乾燥させる行程と、該乾燥工程の後、切削刃物で掘穿する切削工程により排水孔を有しない有底容器部を形成することを特徴とした腰水用植木鉢の製造方法。
【請求項２】
花崗岩以外の火成岩（深成岩）で、流紋岩を中心とした熱水変成を受けた伊予の石または砥石材としての伊予石の母材を、請求項１記載の行程により製造したことを特徴とする腰水用植木鉢。
【発明の詳細な説明】
【技術分野】
【０００１】  本発明は、腰水（ここで記載する腰水とは、容器に張った水に植木鉢を所定位置まで浸漬して、浸潤による灌水することを言う。）用の植木鉢の製造方法及びその腰水用植木鉢に関する。
【背景技術】
【０００２】  従来、自然石の切削切断、穴加工などは、多量の水を切削刃に注水しながら切削加工が行われていた。【０００３】  また、植木鉢の腰水において、外出時の灌水できない時若しくは夏場の水やりなどに植木鉢を腰水で灌水することが一般的に行われていた。【０００４】  さらに、先行技術として、プラスチック、陶磁器、或いはガラスの有底容器の底面に水抜き孔をあける植木鉢の製造方法が提案され、その製造方法の切削加工は、容器１を回転させながら、砥石５にて底面２を切削すること、その切削量は、底面２の厚さの約１／４から１／３を円弧状の凹部４に切削し、次に、容器１内に温湯或いは加熱した油を注入し、容器１の内面から、先端凸状の研削砥石６或いは超硬ドリルにて底面２を切削するとともに上記加工した円弧状の凹部４に、フッ酸７を滴加しながら削孔用の研削砥石６にて水抜き孔をあけるとする実施例を示した植木鉢及びその製造方法がある。（例えば、特許文献１参照）【０００５】  加えて、他の先行技術として、素焼鉢２の壁面から内部に水を吸収させるようにした植木鉢の提案があり、その植木鉢は、透水性の素焼鉢２を水槽１内に設け、その素焼鉢２に鉢土４を充填して植木を植設すると共に、その素焼鉢２と水槽１との間に水を注入して、その壁面を通って内部に水６が浸透し、鉢土４に自然給水されるとすること、また素焼鉢２の表面に釉薬を塗布することにより、その給水量を調整するとする実施例を示した植木鉢がある。（例えば、特許文献２参照）
【先行技術文献】
【特許文献】
【０００６】
【特許文献１】  特開平１０−００００３０
【特許文献２】  特開平９−２８５２２３
【発明の概要】
【発明が解決しようとする課題】
【０００７】  上述した従来の自然石の穴等の切削穴加工において、一般的にコンクリート、石材などの切削加工に使用されるのは、コンクリートドリル、ホールソーなどが使用され、特に、墓石などの粘性の低い自然石の切削加工は、石の性質上微粉化が少なく、またその切削粉の粘着性が低く、切削刃に粘着せず切削粉の刃離れが良く、切削刃の対摩耗性も良いが、粘性の高い花崗岩以外の火成岩（深成岩）で流紋岩を中心とした熱水変成を受けた伊予の石、砥石材としての伊予石、ゼオライトなどの自然石の切削に関しては、切削時、切削粉が微粉化し、特に、切削する母材の石に水分が含まれると、その水分と微粉化した切削粉がスラリー状となり、切削刃に粘着して刃先の摩耗を引き起こし、特に上述した砥石材としての伊予石は、後述するようにスラリー状の粘性が高く、それによる切削刃の摩耗が激しく、作業性及びコストの点で問題があり、切削刃の対摩耗と良好な作業性が要望されていた。【０００８】  上述、切削刃の摩耗において、特に、砥石材としての伊予石などは、砥石として使用されるように、刃先を研ぎおろす作用があり、それは石と刃先が接触することにより、該石から微粉体が生成され、特に水分を持った微粉体は、非常に粘性が高いスラリー状となり、切削刃に粘着して研磨剤として作用するため、これは通常、砥石で刃を研ぐ作用においてはこのように使用されることで刃物が研げるが、逆に石を研削加工する場合は、切削刃の摩耗となり悪影響となっていた。【０００９】  なお、上述した一般的に行われている墓石などの自然石の加工は、水などを大量に注水することで、切削分を洗い流すように加工しており、これは上述の伊予石等のような粘性の高い石の性質を持たないため、このような加工法が可能となっていた。【００１０】  上述の粘性の高い石の性質に関して、特に本願で使用する花崗岩以外の火成岩（深成岩）で、流紋岩を中心とした熱水変成を受けた伊予の石または砥石材としての伊予石を母材とする自然石は、研削した時の微粉体の粘性が高く、伊予砥石として一般的に重宝されるように、砥石として刃先のおりが良いことがその機能に優れているとされ、このような性質の石である母材を切削加工するのに切削刃の摩耗が激しく、改善が待たれていた。【００１１】  また、上述切削刃の摩耗だけではなく、切削加工時に微粉体の粘性により刃先に負荷が掛かりすぎると、切削加工している石そのものが割れることもあり、無駄の発生が多く、改善が待たれていた。【００１２】  特に、上述のような伊予の石は、カオリン／セリサイト系の含有率が多く、結果非常に粘性が高く、厄介なスラリーを生成する為に、上記の現象が特に著しく起こり、切削加工の困難性が高いが、一方で、腰水用の植木鉢には、浸潤による灌水性能が高く、切削加工の改善ができることにより、理想的な腰水用の植木鉢となる。【００１３】  なお、上述カオリン／セリサイトは、アルカリ金属基を持つケイ酸化合物であることから分極する分子構造で非常に高い親水性と保水力を有し、化粧用のファンデーションの基材に使用されることからも解るように、その高い親水性と保水力によるスラリー状の研削微粉体が、切削刃に粘着して研磨剤としての作用するため、該切削刃の摩耗となり���影響をおよぼしていた。【００１４】  また、上述ケイ酸化合物は、ケイ酸質骨格が負の電荷を帯び、カチオンとイオン交換が起こる土壌中の粘土及び腐植などはマイナスに荷電しており、陽イオンを引き付ける力があるため、陽イオン（カルシウム、マグネシウム、カリウム、ナトリウム、アンモニウム、水素など）を吸着保持し、一般的に、この容量が大きいほど養分の保持力が大きいといわれ、肥沃土の高い土壌となり、根腐れ防止と発根促進剤としての作用もあることが確認され、広く一般的に田畑等に撒いて土壌改良されていることから、該ケイ酸化合物が多く含まれる伊予の石で形成する植木鉢は理想となるが、上述のように刃先の摩耗が激しく、作業性及びコストの点で問題があり、切削刃の対摩耗と良好な作業性が要望されていた。【００１５】  また一方、上述のような伊予の石は、植物の発根傷害につながる元素であるアルミ含有率がきわめて少なく、よって該伊予の石で植木鉢を形成することは、発根傷害がきわめて少ない植木鉢となるが、上述したように、切削加工における作業性及びそのコストの点で問題があり、切削刃の対摩耗と良好な作業性が要望されていた。【００１６】  しかして、上述した先行技術の特許文献１の植木鉢の製造方法は、あらかじめ砥粒間にダイヤモンドの切れ刃のある砥石５により、容器の底面２の外面を円弧状の凹部４に切削加工し、次に、容器１内に温湯或いは加熱した油を注入し、容器１の内面から、先端凸状の研削砥石６或いは超硬ドリルにて、旋盤、フライス盤、ボール盤等で、研削水、或いは研削油の切削部分へ注水しながら底面２を切削しており、該植木鉢は、プラスチック、陶磁器、或いはガラスの浸潤がきわめて少ない若しくは浸潤しない材質の有底容器１であって、浸潤する有底容器１では、研削水或いは研削油が有底容器１に浸潤して後に植木鉢としては、該研削油の影響により使用できなかった。【００１７】  また、上述した他の先行技術の特許文献２の植木鉢は、素焼鉢２の壁面から内部に水を吸収させるようにした植木鉢であって、たとえ素焼鉢２の表面に釉薬を塗布することにより、その給水量を調整するとしても、常時、腰水状態を維持するので、植木鉢内の水量が多く、用土内の空気及び根腐れ原因菌の繁殖が防止できず、腰水用の植木鉢として長期間使用できなかった。
【課題を解決するための手段】
【００１８】  本発明は、上記課題を有効に達成するために、第１の解決手段として、排水孔を有しない有底容器の腰水用植木鉢として形成する製造方法であって、花崗岩以外の火成岩（深成岩）で、流紋岩を中心とした熱水変成を受けた伊予の石または砥石材としての伊予石を母材として、該母材の含水量を略１％近傍以下まで乾燥させる行程と、該乾燥工程の後、切削刃物で掘穿する切削工程により有底容器部を形成することで、
切削粉が、切削刃に粘着しない状態で、該母材を切削加工する方法としている。
尚、含水量は、次の式で表される。
含水量＝（Ｗ２−Ｗ１）／Ｗ１×１００
ただし、Ｗ１：立方体に近いほぼ５００ｇの試料の絶対乾燥空気中重量〔ｇ〕
Ｗ２：９６時間吸水後の重量〔ｇ〕。【００１９】  また、第２の解決手段は、花崗岩以外の火成岩（深成岩）で、流紋岩を中心とした熱水変成を受けた伊予の石または砥石材としての伊予石の母材とし、該母材の含水量を略１％近傍以下まで乾燥させる行程と、該乾燥工程の後、切削刃物で掘穿する切削工程により製造した腰水用植木鉢としたことで、
切削粉が、切削刃に粘着しない状態で、切削加工して、根腐れ防止及び発根促進、浸潤による灌水する腰水用植木鉢とする事としている。
【発明の効果】
【００２０】  本発明は、上述したそれぞれの手段によって有効な効果が得られるようにしたもので、特に、切削刃物で掘穿して排水孔を有しない有底容器の腰水用植木鉢として形成する製造方法において、花崗岩以外の火成岩（深成岩）で、流紋岩を中心とした熱水変成を受けた伊予の石または砥石材としての伊予石を母材として、該母材の含水量を略１％近傍以下まで乾燥させる行程と、該乾燥工程の後、切削刃物で掘穿する切削工程により排水孔を有しない有底容器部を形成する第１の解決手段により、
切削により生成される微粉体の水分量が極端に少ないために、微粉体が粘性の高いスラリー状とならず、よって切削するコンクリートドリル、ホールソーなどの刃先に微粉体が粘着しないので、該微粉体が該刃先に研磨剤のように作用せず、よって刃先の摩耗が少なくなり、切削刃の対摩耗と良好な作業性によりコスト削減ができる。【００２１】  つまり、その母材の伊予石に含まれるカオリン／セリサイトが高い親水性と保水力を有し、そのカオリン／セリサイトが切削により研削微粉体となったとき、その母材の研削微粉体に含まれる水分でスラリー状となって粘着性を持つようになるが、母材の乾燥によりスラリー状とはならず、そのスラリー状にならないことで、その研削微粉体が切削刃に粘着して歯切れが悪くなったり、切削の摩擦熱で研削微粉体が刃先で固化することがなく、よって該切削刃に悪影響をおよぼさず、該刃先の摩耗も少なくなり、切削刃の対摩耗と良好な作業性によりコスト削減ができる。【００２２】  また、切削時に産出する切削粉は、肥沃土の高い土壌となり、根腐れ防止と発根促進剤及び高い親水性と保水力としての作用もあることから、広く一般的に田畑等に撒いて土壌の改良剤として使用でき、さらに使用済みで廃棄の際、天然物であることから環境を悪化させるおそれもない。【００２３】  さらに、花崗岩以外の火成岩（深成岩）で、流紋岩を中心とした熱水変成を受けた伊予の石または砥石材としての伊予石の母材とし、該母材の含水量を略１％近傍以下まで乾燥させる行程と、該乾燥工程の後、切削刃物で掘穿する切削工程により有底容器部を形成して腰水用植木鉢とする第２の解決手段により、
ケイ酸質の養分の保持力で、肥沃土の高い土壌となり、根腐れ防止と発根促進剤としての作用もあることから、広く一般的に田畑等に撒いて土壌改良され、該ケイ酸化合物が多く含まれる伊予の石の理想的な植木鉢として使用できる。【００２４】  また、母材の伊予の石は、植物の発根傷害につながる元素であるアルミ含有率がきわめて少ないので、それによる発根傷害が起きず、よって発根傷害がきわめて少ない植木鉢となる。これらのことから、本発明は、実用上著大な効果を奏するものである。
【図面の簡単な説明】
【００２５】
【図１】  本発明の腰水用植木鉢１の斜視図である。
【図２】  本発明の母材２をホールソー４で加工している状態を示す斜視図である。
【図３】  本発明の母材２をホールソー４で加工している状態を示す要部の側面断面図である。
【図４】  本発明の図３の矢視Ａ−Ａ線断面図である。
【図５】  本発明の図４の使用状態を示す刃先部の要部を拡大した側面図である。
【図６】  本発明の実施状態を示す実施例の斜視図である。
【図７】  本発明の実施状態を示す実施例の部分断面図である。
【図８】  本発明の実施状態を示す他の実施例の斜視図である。
【発明を実施するための形態】
【００２６】  第一に、花崗岩以外の火成岩（深成岩）で、流紋岩を中心とした熱水変成を受けた伊予の石または砥石材としての伊予石の母材を、含水量を略１％近傍以下まで乾燥させる行程と、該乾燥工程の後、切削刃物で掘穿する切削工程により切削粉が、切削刃に粘着しない状態で、該母材を切削加工する方法を実現させた。
【００２７】  また第二に、花崗岩以外の火成岩（深成岩）で、流紋岩を中心とした熱水変成を受けた伊予の石または砥石材としての伊予石の母材を、含水量を略１％近傍以下まで乾燥させる行程と、該乾燥工程の後、切削刃物で掘穿する切削工程により排水孔を有しない有底容器部を形成して腰水用植木鉢を実現させた。
【実施例】
【００２８】  本発明の実施例を図面に基づいて説明すると、図１において、１は腰水用植木鉢で、該腰水用植木鉢１は、粘性の高い花崗岩以外の火成岩（深成岩）で流紋岩を中心とした熱水変成を受けた伊予の石、砥石材としての伊予石、また粘性の高いゼオライトなどの自然石を母材２として使用し、該母材２を掘穿して有底容器部３を形成している。【００２９】  該母材２に有底容器部３を形成する掘穿は、図２に示すように所定径のホールソー４で、該ホールソー４は、一般市場で市販されるもので、特に、大径の穴を開設するものに使用し、図３に示すように、掘穿して有底容器部３を形成する。【００３０】  そこで、市販のホールソー４において、一般的なホールソーは、中心部の穴を開設してセンターガイドとして機能するセンタードリル部を有するものと、本願が図３に例示するように、センタードリル部が無いもが市販され、また一般的にコンクリート、石材などに小径の穴を開設するに使用されるものとしては、コンクリートドリルが市販されている。【００３１】  本願で使用する該市販のホールソー４は、図３に示すようにダイヤモンド刃先５を有するホールソー４で、図５に示すように、先端及び先端近傍の外周部にダイヤモンド５ａが着設され、また図３及び図４に示すように、外周面に螺旋状に設けられた切削粉６の排出誘導路７が形成されている。【００３２】  そこでまず、図２及び図３に示すように、ダイヤモンド刃先５を有するホールソー４で母材２を掘穿して有底容器部３を形成するその掘穿は、図５で示すダイヤモンド刃先５を有するホールソー４の先端及び先端近傍の外周部のダイヤモンド５ａが、母材２を掻き取り輪状の溝となるように掘穿して、図３に示すような溝１１を形成し、その後、該ホールソー４内部の母材２ａを取り去る（想像線で示す）ことで有底容器部３が形成される。【００３３】  しかして、図２に示すように所定径のホールソー４で該母材２を掘穿して有底容器部３を形成するとき、図４に示すように、該ホールソー４で該母材２を掘穿した切削粉６が、該ホールソー４の外周面の螺旋状の排出誘導路７から上部に向けて排出される。【００３４】  そのとき、母材２の乾燥状態が悪いと切削粉６が、その水分でスラリー状となり粘性を持ち、ダイヤモンド刃先５に粘着すると共に切削時の熱により固化状に張り付き、掘穿能力が落ちると共に刃先の機能がなくなり、ホールソー４の破損、若しくは母材２の割れにつながる。【００３５】  また、逆に、掘穿するとき水を大量にかけ流してもそのダイヤモンド刃先５に、その水が十分にかからず、切削時の熱により切削粉６が固化状となり、上述同様、ホールソー４の破損、若しくは母材２の割れにつながる。【００３６】  そこで、十分、母材２を乾燥させることにより、切削粉６が、乾燥した粉状となり、ホールソー４の螺旋状の排出誘導路７から上部にむけ排出されやすく、ダイヤモンド刃先５に粘着せず、該ダイヤモンド刃先５の負荷が小さくなり、破損に結びつかず、よって工具が長持ちする。【００３７】  そして、上述のように加工して得られた腰水用植木鉢１を、図６に示すように、水盤８の中に裁置して、盆栽、苔類などの植物９を有底容器部３に植栽し、また図７に示すように灌水用の水���０を腰水用植木鉢１の所定位置まで浸かるように設定して植栽する。【００３８】  そのとき、腰水用植木鉢１に水１０が浸潤して、植栽される植物９に灌水され、特に、腰水用植木鉢１に使用される母材２が、花崗岩以外の火成岩（深成岩）で流紋岩を中心とした熱水変成を受けた伊予の石、砥石材としての伊予石、また粘性の高いゼオライトなどの自然石であることから、有底容器部３に浸潤が早く、その割に適度に該水１０が灌水されるので植物９の育成に最適な灌水ができる。【００３９】  また、その母材２に水の浸潤が早いと言うことは、毛細管現象が大きく、よって腰水用植木鉢１の水位より出ている部分から空気中に水１０の蒸発も多く、その蒸発熱により、日に当たっている水盤８内の温度もあまり上がらないので、その熱による植物９の根へのダメージもなく、十分な太陽光と灌水による最適な育成ができる。【００４０】  また、その水盤８内の水１０の温度上昇が小さいので、その水盤８内でメダカなどの小魚も飼うことができ、さらにそのメダカなどの小魚が、水盤８内に生える藻などを食性するので、循環型の環境が作れ、水盤８内の清掃も頻繁に行わなくて済み、手間の掛からない観賞用の植物及び小魚の育成用の鉢と水盤の提供ができる。【００４１】  しかして、図８に示す腰水用植木鉢１ａは、母材２に掘穿して有底容器部３ａを形成する他の実施例で、大小の穴部（図中、想像線で示す）を３カ所の穴部を重なり合うように掘穿して形成し、小径は上述したコンクリートドリルで、大径は上記実施例で示すホールソー４で掘穿して有底容器部３ａを形成している。【００４２】  該腰水用植木鉢１ａの使用においては、上記実施例と略同様で、特に、大径の有底容器部３ａの腰水用植木鉢１として、多くの植物９を育成するときに使用する。【００４３】  なお、本願、掘穿する工具を、ダイヤモンド刃先５を有するホールソー４としているが、若干の石質の違いなどで鋸刃状のホールソーを代わりに使用しても若干掘穿効率は落ちるが、本願行程の方法により特に大きな傷害となることなく使用でき、また小径の穴を掘穿する場合は、市販のコンクリートドリルを使用しても好ましいが、具体的な図示は省略した。【００４４】  また、本願実施例のホールソー４をセンタードリルがないものを使用しているが、腰水用植木鉢１の有底容器部３、３ａが厚いものは、センタードリル付きのホールソー４としてもよく、またそれは、センタードリル付きのホールソー４で有底容器部３、３ａを薄まで加工すると貫通する恐れがあるためであり、特に加工上の条件で使い分けている。
【産業上の利用可能性】
【００４５】  花崗岩以外の火成岩（深成岩）で、流紋岩を中心とした熱水変成を受けた伊予の石または砥石材としての伊予石の母材を切削刃物で掘穿する切削加工方法と、その切削工程により排水孔を有しない有底容器の腰水用植木鉢として利用することができる。
【符号の説明】
【００４６】１  腰水用植木鉢
２  母材
３  有底容器部
４  ホールソー
【図１】
2011110044.tif 000003
【図２】
2011110044.tif 000004
【図３】
2011110044.tif 000005
【図４】
2011110044.tif 000006
【図５】
2011110044.tif 000007
【図６】
2011110044.tif 000008
【図７】
2011110044.tif 000009
【図８】
2011110044.tif 000010